(57)【要約】      （修正有）【課題】ベッド上の人物の状態をより正確に検出することができる情報処理装置を提供する。【解決手段】情報処理装置は、寝床を含む所定箇所の距離画像を取得する距離画像取得手段と、距離画像に基づいて、当該距離画像内の人物の頭部と胴体部との対を検出する検出手段と、検出した頭部と胴体部との対の移動状況に応じて、頭部と胴体部との対が人物であることを判定する判定手段と、を備える。また、判定手段は、人物と判定した対となる頭部と胴体部との位置関係に応じて、人物の姿勢を判定する。【選択図】図２
2019144997.tif 000002
【特許請求の範囲】
【請求項１】
寝床を含む所定箇所の距離画像を取得する距離画像取得手段と、
前記距離画像に基づいて、当該距離画像内の人物の頭部と胴体部との対を検出する検出手段と、
検出した前記頭部と前記胴体部との対の移動状況に応じて、前記頭部と前記胴体部との対が人物であることを判定する判定手段と、
を備えた情報処理装置。
【請求項２】
請求項１に記載の情報処理装置であって、
前記判定手段は、人物と判定した対となる前記頭部と前記胴体部との位置関係に応じて、人物の姿勢を判定する、
情報処理装置。
【請求項３】
請求項２に記載の情報処理装置であって、
前記判定手段は、人物と判定した対となる前記頭部と前記胴体部との位置関係と、当該対となる前記頭部及び前記胴体部と前記寝床との位置関係と、に応じて、人物の姿勢を検出する、
情報処理装置。
【請求項４】
請求項３に記載の情報処理装置であって、
前記判定手段は、人物と判定した対となる前記頭部と前記胴体部との位置関係と、当該対となる前記頭部及び前記胴体部と前記寝床の周囲との位置関係と、に応じて、人物の姿勢を検出する、
情報処理装置。
【請求項５】
請求項３又は４に記載の情報処理装置であって、
前記判定手段は、人物と判定した対となる前記頭部と前記胴体部との位置関係と、当該対となる前記頭部及び前記胴体部と前記寝床の高さとの位置関係と、に応じて、人物の姿勢を検出する、
情報処理装置。
【請求項６】
寝床を含む所定箇所の距離画像を取得する距離画像取得工程と、
前記距離画像に基づいて、当該距離画像内の人物の頭部と胴体部との対を検出する検出工程と、
検出した前記頭部と前記胴体部との対の移動状況に応じて、前記頭部と前記胴体部との対が人物であることを判定する判定工程と、
を有する情報処理方法。
【請求項７】
請求項６に記載の情報処理方法であって、
前記判定工程は、人物と判定した対となる前記頭部と前記胴体部との位置関係に応じて、人物の姿勢を判定する、
情報処理方法。
【請求項８】
情報処理装置に、
寝床を含む所定箇所の距離画像を取得する距離画像取得手段と、
前記距離画像に基づいて、当該距離画像内の人物の頭部と胴体部との対を検出する検出手段と、
検出した前記頭部と前記胴体部との対の移動状況に応じて、前記頭部と前記胴体部との対が人物であることを判定する判定手段と、
を実現させるためのプログラム。
【発明の詳細な説明】
【技術分野】
【０００１】
本発明は、情報処理装置及び情報処理方法に関する。
【背景技術】
【０００２】
近年、高齢者の人口が増加し、介護の需要が高まっている。一方で、介護には、多くの介護者が必要となり、介護者の作業負担や人件費の増加という問題が生じる。そこで、特許文献１に記載のような、距離画像センサで撮影した画像を用いて、被介護者といった人物を監視する監視システムが多く開発されている。
【０００３】
特許文献１に開示の監視システムでは、距離画像からベッドの位置を抽出し、また、人の領域を検出し、人の動作を判別している。具体的に、ベッドの位置は、ベッドの長手方向及び短手方向における高さの度数分布から求めている。また、人の動作は、所定の高さ位置に対する物体の位置検出することで、臥床の状態、上半身を起こした状態、起立の状態、といった人の動作を判別している。
【先行技術文献】
【特許文献】
【０００４】
【特許文献１】特開２０１２−０３００４２号公報
【発明の概要】
【発明が解決しようとする課題】
【０００５】
しかしながら、上述した特許文献１の技術では、被介護者である人物の動作や姿勢といった状態をより正確に検出することができない、という問題が生じる。その理由は、特許文献１のシステムでは、人物を１つの物体としか見ておらず、その物体の高さ位置に応じて動作を検出しているだけである。このため、ベッド上に掛け布団や枕などの他の物体が存在する場合には、人物をより正確に検出することができず、さらには、その姿勢も正確に検出することができない。
【０００６】
このため、本発明の目的は、上述した課題である、ベッド上の人物の状態をより正確に検出できない、ということを解決することができる情報処理装置を提供することにある。
【課題を解決するための手段】
【０００７】
本発明の一形態である情報処理装置は、
寝床を含む所定箇所の距離画像を取得する距離画像取得手段と、
前記距離画像に基づいて、当該距離画像内の人物の頭部と胴体部との対を検出する検出手段と、
検出した前記頭部と前記胴体部との対の移動状況に応じて、前記頭部と前記胴体部との対が人物であることを判定する判定手段と、
を備えた、
という構成をとる。
【０００８】
また、上記情報処理装置では、
前記判定手段は、人物と判定した対となる前記頭部と前記胴体部との位置関係に応じて、人物の姿勢を判定する、
という構成をとる。
【０００９】
また、上記情報処理装置では、
前記判定手段は、人物と判定した対となる前記頭部と前記胴体部との位置関係と、当該対となる前記頭部及び前記胴体部と前記寝床との位置関係と、に応じて、人物の姿勢を検出する、
という構成をとる。
【００１０】
また、上記情報処理装置では、
前記判定手段は、人物と判定した対となる前記頭部と前記胴体部との位置関係と、当該対となる前記頭部及び前記胴体部と前記寝床の周囲との位置関係と、に応じて、人物の姿勢を検出する、
という構成をとる。
【００１１】
また、上記情報処理装置では、
前記判定手段は、人物と判定した対となる前記頭部と前記胴体部との位置関係と、当該対となる前記頭部及び前記胴体部と前記寝床の高さとの位置関係と、に応じて、人物の姿勢を検出する、
という構成をとる。
【００１２】
また、本発明の他の形態である情報処理方法は、
寝床を含む所定箇所の距離画像を取得する距離画像取得工程と、
前記距離画像に基づいて、当該距離画像内の人物の頭部と胴体部との対を検出する検出工程と、
検出した前記頭部と前記胴体部との対の移動状況に応じて、前記頭部と前記胴体部との対が人物であることを判定する判定工程と、
を有する、
という構成をとる。
【００１３】
また、上記情報処理方法では、
前記判定工程は、人物と判定した対となる前記頭部と前記胴体部との位置関係に応じて、人物の姿勢を判定する、
という構成をとる。
【００１４】
また、本発明の他の形態であるプログラムは、
情報処理装置に、
寝床を含む所定箇所の距離画像を取得する距離画像取得手段と、
前記距離画像に基づいて、当該距離画像内の人物の頭部と胴体部との対を検出する検出手段と、
検出した前記頭部と前記胴体部との対の移動状況に応じて、前記頭部と前記胴体部との対が人物であることを判定する判定手段と、
を実現させる、
という構成をとる。
【発明の効果】
【００１５】
本発明は、以上のように構成されることにより、ベッド上の人物の状態をより正確に検出することができる、情報処理装置、情報処理方法、プログラムを提供することができる。
【図面の簡単な説明】
【００１６】
【図１】本発明の実施形態１における情報処理システムの構成を示す概略図である。
【図２】図１に開示した監視サーバの構成を示すブロック図である。
【図３】図１に開示した監視サーバによる画像処理の様子を示す図である。
【図４】図１に開示した監視サーバによる画像処理の様子を示す図である。
【図５】図１に開示した監視サーバによる画像処理の様子を示す図である。
【図６】図１に開示した監視の処理動作を示すフローチャートである。
【発明を実施するための形態】
【００１７】
＜実施形態１＞
本発明の第１の実施形態を、図１乃至図６を参照して説明する。図１乃至図２は、情報処理システムの構成を示す図である。図３乃至図６は、情報処理システムの処理動作を説明するための図である。以下、各図を参照して、情報処理システムの構成及び動作を説明する。
【００１８】
本発明における情報処理システムは、被介護者や被監視者といった監視対象となる人物Ｐの行動を監視するための情報処理システムであり、監視サーバ１０と、距離画像カメラＣと、携帯端末２０と、監視端末３０と、を備えて構成されている。
【００１９】
上記距離画像カメラＣは、監視対象となる人物Ｐが横たわるベッドＢが配置された領域Ｒ内の距離画像を撮影可能な位置に配置されている。例えば、距離画像カメラＣは、医療施設や介護施設、宅内の一室の天井に設けられ、ベッドＢ全体が画像内に収まる位置に配置されている。なお、距離画像カメラＣは、必ずしも天井に設置されていることに限定されず、壁やスタンドなど、いかなる場所に設置されていてもよい。また、撮影されるベッドＢは、布団といった他の寝床であってもよい。
【００２０】
距離画像カメラＣは、画素値を距離値とした距離画像を撮影するものである。例えば、距離画像カメラＣは、赤外線レーザをターゲットに投射した際の往復の時間から距離を計測する形式のものであってもよく、いかなる方式のものであってもよい。そして、距離画像カメラＣは、一定の時間間隔で、あるいは、撮影指示を受けたタイミングで、距離画像を撮影し、かかる距離画像を後述する監視サーバ１０に送信する機能を有する。
【００２１】
上記携帯端末２０は、被介護者である人物の介護を行ったり、監視する監視者であるユーザＵが保持して操作するスマートフォンなどの情報処理端末である。携帯端末２０は、監視サーバ１０と無線通信を介して接続され通信可能であり、後述するように、監視サーバ１０に対してユーザＵの操作指示を入力することが可能である。例えば、携帯端末２０は、表示画面に、距離画像カメラＣにて撮影された距離画像を表示すると共に、監視に関する操作指示を入力可能な操作画面を表示する。かかる画面に対してユーザＵからタッチ操作によって指示が入力されることで、かかる操作指示が携帯端末２０から監視サーバ１０に送信されることとなる。また、携帯端末２０は、監視サーバ１０から発せられる被介護者である人物の異常の通知を受信して、ユーザＵに報知する機能も有する。
【００２２】
上記監視端末３０は、被介護者である人物の介護を行ったり、監視する監視者であるユーザＵが操作する情報処理端末である。監視端末３０は、監視者などのユーザＵが在籍する監視ルームなどの場所に設置されており、複数のユーザＵによって操作可能である。監視端末３０は、上述した携帯端末２０と同様に、表示画面に距離画像を表示すると共に、監視に関する操作指示を入力可能とし、かかる操作指示を監視サーバ１０に送信したり、監視サーバ１０から発せられる人物の異常の通知を受信して、ユーザＵに報知する機能を有する。
【００２３】
上記監視サーバ１０は、演算装置及び記憶装置を有するサーバ装置（情報処理装置）である。そして、監視サーバ１０は、図２に示すように、演算装置がプログラムを実行することで構築された、距離画像取得部１１、領域特定部１２、人物検出部１３、判定部１４、通知部１５、を備えている。また、監視サーバ１０は、記憶装置に形成された、判定基準記憶部１６を備えている。以下、各構成について詳述する。なお、以下では、監視サーバ１０に動作も、図７のフローチャートを参照して併せて説明する。
【００２４】
上記距離画像取得部１１（距離画像取得手段）は、上述したように距離画像カメラＣにて撮影されたベッドＢ及び監視対象となる人物Ｐを含む距離画像を、当該距離画像カメラＣから取得する。そして、取得した距離画像を、領域特定部１２、人物検出部１３、判定部１４に渡し、当該距離画像は後述するベッド領域設定処理や監視処理に用いられる。
【００２５】
上記領域特定部１２は、距離画像内におけるベッドＢの領域を特定する処理を行う（図６のステップＳ１）。このとき、領域特定部１２は、ユーザＵから携帯端末２０を介して監視サーバ１０に送信されたベッド領域を設定する処理を行う指令を受け付けると、図３（ａ１）に示すように、人物Ｐが存在していないベッドＢが映っている距離画像２１を利用して、当該距離画像２１上におけるベッドＢの領域を特定する処理を行う。
【００２６】
例えば、領域特定部１２は、距離画像２１に対してユーザＵからベッドＢの４隅を指定する入力を受け付け、かかる４隅の座標からベッドＢの領域を特定してもよい。あるいは、領域特定部１２は、距離画像２１上の予め設定された位置の略矩形の物体を検出してベッドＢの領域として特定してもよく、距離画像２１の予め設定された座標領域をベッドＢの領域として特定してもよい。なお、領域特定部１２は、いかなる方法でベッドＢの領域を特定してもよい。
【００２７】
また、領域特定部１２は、ベッドＢの領域と共に、距離画像２１からベッドＢの高さも特定する。但し、ベッドＢの高さは、ユーザＵにて入力された値を用いてもよく、予め設定された値を用いてもよい。
【００２８】
上記人物検出部１３（検出手段）は、距離画像２１内における人物Ｐを検出する処理を行う。このとき、人物検出部１３は、まず、距離画像２１内に存在する物体を検出し、かかる物体から人物Ｐの頭部Ｐ１及び胴体部Ｐ２の対を検出する（図６のステップＳ２）。
【００２９】
具体的に、人物検出部１３は、まず、距離画像２１内における個々の塊からなる物体を検出する。そして、検出した物体の形状（例えば、アスペクト比）や、物体間の位置関係や体積比（面積比）などから、同一人物の頭部Ｐ１と胴体部Ｐ２との対を検出する。例えば、図３（ｂ１）の例では、距離画像２１内においてベッドＢ上に人物Ｐが横たわっている場合を示している。なお、図３（ｂ２）は、ベッドＢを長辺側の横方向から見た図を示している。かかる状況において、塊を形成する符号Ｐ１と符号Ｐ２に示す物体が検出された場合には、符号Ｐ１，Ｐ２の物体の形状がそれぞれ矩形でアスペクト比が設定された値の範囲内であるか、これら物体が連結して相互に一定の距離の範囲内に位置するか、さらに、物体間の体積比が設定された範囲内であるか、を調べる。そして、これらを満たす場合に、符号Ｐ１及び符号Ｐ２の物体の対が、同一人物Ｐの頭部Ｐ１及び胴体部Ｐ２の対である、として検出する。
【００３０】
但し、人物検出部１３は、距離画像２１からいかなる方法で人物Ｐの頭部Ｐ１及び胴体部Ｐ２の対を検出してもよい。また、人物検出部１３は、別途設けられた基準に基づいて、人物Ｐの脚部や腕部など他の部位を検出した場合には、かかる部位も同一人物Ｐの頭部Ｐ１及び胴体部Ｐ２の対に関連付けてもよい。そして、これら他の部位に基づいて、後述する人物の姿勢の判定を行ってもよい。
【００３１】
上記判定部１４（判定手段）は、人物検出部１３から、検出された人物Ｐの頭部Ｐ１及び胴体部Ｐ２の対の通知を受け、順次取得される距離画像２１内において人物Ｐの頭部Ｐ１及び胴体部Ｐ２の対の追従を行う。例えば、判定部１４は、時間的に連続する距離画像２１において、先の距離画像２１上に位置する頭部Ｐ１及び胴体部Ｐ２の対の位置に対して、後の距離画像２１上の近隣の位置に対となる物体が存在する場合には、かかる物体の対を同一人物Ｐの頭部Ｐ１及び胴体部Ｐ２の対と判定して追従を行う。なお、判定部１４は、ある距離画像２１において追従していた人物Ｐの頭部Ｐ１及び胴体部Ｐ２の対を検出できない場合であっても、かかる人物Ｐのこれまでの追従軌跡から移動先を予測し、後の距離画像２１上でそれらしき頭部Ｐ１及び胴体部Ｐ２の対が再度出現した場合に、同一人物Ｐとして追従を再開してもよい。但し、判定部１４による人物Ｐの頭部Ｐ１及び胴体部Ｐ２の対の追従方法は、上述した方法に限定されず、いかなる方法で行われてもよい。
【００３２】
そして、判定部１４は、上述した人物Ｐの頭部Ｐ１及び胴体部Ｐ２の対を追従した結果である当該対の移動状況に基づいて、当該人物Ｐの頭部Ｐ１及び胴体部Ｐ２の対が、物体ではなく、確かに人物のものであるかを判定する（図６のステップＳ３）。例えば、上述した人物Ｐの頭部Ｐ１及び胴体部Ｐ２の対が、一定時間、所定の距離範囲に位置して対を維持した状態で移動している場合には、かかる対を人物Ｐのものであると判定する（図６のステップＳ３：Ｙｅｓ）。なお、判定部１４による人物Ｐの頭部Ｐ１及び胴体部Ｐ２の対が確かに人物のものであるか否かの判定は、追従結果に基づいていかなる方法で行われてもよい。
【００３３】
続いて、判定部１４は、さらに人物Ｐの頭部Ｐ１及び胴体部Ｐ２の対の追従を継続し、当該対となる頭部Ｐ１と胴体部Ｐ２との位置関係から、人物Ｐの姿勢を判定する（図６のステップＳ４）。このとき、判定部１４は、頭部Ｐ１と胴体部Ｐ２との位置関係に加え、頭部Ｐ１及び胴体部Ｐ２の対と距離画像２１内のベッドＢとの位置関係にも基づいて、人物Ｐの姿勢を判定する。
【００３４】
ここで、判定部１４は、例えば、距離画像２１上における頭部Ｐ１や胴体部Ｐ２のそれぞれの重心位置や所定基準に基づく中心位置、さらには上方の頂点位置を検出し、かかる重心位置や中心位置、頂点位置を、人物Ｐの頭部Ｐ１や胴体部Ｐ２の位置として用いる。以下では、説明を巻単位するために、人物の頭部Ｐ１や胴体部Ｐ２の位置として、それらの重心位置、を用いることとする。なお、上述した人物Ｐの頭部Ｐ１及び胴体部Ｐ２の対が、人物のものであるか否かの判定の際にも、頭部Ｐ１や胴体部Ｐ２の位置として、重心位置を用いてもよい。
【００３５】
そして、判定部１４は、特に、人物が予め異常状態と設定された姿勢であるか否かを判定する。なお、異常状態を表す情報は、頭部Ｐ１と胴体部Ｐ２との位置関係を表す情報や、頭部Ｐ１及び胴体部Ｐ２の位置とベッドＢの位置（領域や高さ）との関係を表す情報、などからなり、予め判定基準記憶部１６に記憶されている。本実施形態では、異常状態として、例えば、図４（ａ１），（ａ２）に示す人物ＰがベッドＢの境界に位置する場合（境界位）、図４（ｂ１），（ｂ２）に示す人物ＰがベッドＢに立つ場合（立位）、図５（ａ１），（ａ２）に示す人物ＰがベッドＢ上で起き上がろうとしている場合（起き上がり）、図５（ｂ１），（ｂ２）に示す人物ＰがベッドＢから離れた場合（離床）、がある。但し、本発明で判定する異常状態は、上述した姿勢に限定されず、他の姿勢を異常状態として判定してもよい。
【００３６】
ここで、判定部１４による異常状態の判定処理の一例を、図４乃至図５を参照して説明する。まず、図４（ａ１），（ａ２）の例では、人物ＰがベッドＢの境界に位置する場合（境界位）を示している。このとき、人物Ｐの頭部Ｐ１及び胴体部Ｐ２の対はベッドＢの境界付近に位置することとなる。このため、判定部１４は、距離画像２１において追従した頭部Ｐ１及び胴体部Ｐ２の対の位置が、ベッドＢの領域の周囲から予め設定された距離以内に位置する場合には、人物Ｐの姿勢が境界位であると判定する。
【００３７】
また、図４（ｂ１），（ｂ２）の例では、人物ＰがベッドＢに立つ場合（立位）を示している。このとき、人物Ｐの頭部Ｐ１及び胴体部Ｐ２の対は、ベッドＢの上方に積み重なる状態となり、胴体部Ｐ２の位置がベッドＢの高さ位置よりも高く位置し、頭部Ｐ１の位置がさらに高く位置することとなる。このため、判定部１４は、距離画像２１において追従した頭部Ｐ１及び胴体部Ｐ２の対が、ベッドＢの上方に積み重なる位置関係となり、頭部Ｐ１及び胴体部Ｐ２の位置が、それぞれベッドＢの高さ位置よりも高く設定された位置を超えている場合に、人物Ｐの姿勢が立位であると判定する。
【００３８】
また、図５（ａ１），（ａ２）の例では、人物Ｐが起き上がろうとしている場合（起き上がり）を示している。このとき、人物Ｐの頭部Ｐ１及び胴体部Ｐ２の対は、胴体部Ｐ２及び頭部Ｐ１がベッドＢの高さ位置からやや上方に位置している状態となる。このため、判定部１４は、距離画像２１において追従した頭部Ｐ１及び胴体部Ｐ２の対が、ベッドＢの平面上で連結した位置関係となり、頭部Ｐ１及び胴体部Ｐ２の高さ位置が、それぞれベッドＢの高さ位置よりもやや高く設定された位置を超えている場合に、人物Ｐの姿勢が起き上がり状態であると判定する。なお、このときは、上述した起き上がりの状態が所定時間続いた場合に、はじめて起き上がり状態であると判定してもよい。
【００３９】
また、図５（ｂ１），（ｂ２）の例では、人物ＰがベッドＢから離れた場合（離床）を示している。このとき、人物Ｐの頭部Ｐ１及び胴体部Ｐ２の対は、ベッドＢの領域から離れて位置する状態となる。このため、判定部１４は、距離画像２１において追従した頭部Ｐ１及び胴体部Ｐ２の対が、ベッドＢの領域の周囲から予め設定された距離以上離れた場合に、人物Ｐの姿勢が離床であると判定する。
【００４０】
そして、判定部１４は、上述したように距離画像２１から人物Ｐ１の姿勢を異常状態と判定すると（図６のステップＳ５：Ｙｅｓ）、ユーザＵに対して通知を行う（図６のステップＳ６）。
【００４１】
以上のように、本発明の情報処理システムでは、距離画像から人物の頭部と胴体部とを検出して、当該頭部と胴体部との位置関係や、ベッドとの位置関係から、人物であることやその姿勢を検出している。このため、人物以外の物体の誤認識を抑制でき、また、人物の姿勢をより正確に判定することができる。
【００４２】
なお、本発明の情報処理システムでは、上述したようにベッド上あるいはベッドの周囲において人物の姿勢を判定することに限定されず、あらゆる領域内で人物の姿勢を検出してもよい。例えば、ベッド外の位置における人物の横たわり（臥位）やうずくまり（うつ伏せ）などの姿勢を判定してよい。具体的には、人物Ｐの頭部Ｐ１及び胴体部Ｐ２の対が、ベッドＢの範囲外に位置しており、頭部Ｐ１及び胴体部Ｐ２の高さ位置がほぼ同一である状態が所定時間続いた場合に横たわりと判定したり、頭部Ｐ１及び胴体部Ｐ２の高さ位置が近い状態が所定時間続いた場合にうずくまりと判定してもよい。なお、ベッド外において判定する姿勢は、上述した姿勢に限定されない。
【００４３】
また、上記では、人物Ｐの頭部Ｐ１及び胴体部Ｐ２の対を検出して、姿勢を判定しているが、明確に頭部Ｐ１及び胴体部Ｐ２を検出できなくとも、以下のようにして、姿勢を判定してもよい。例えば、人物Ｐらきし物体を検出した場合に、物体の最頂部（最頂領域）の重心と、物体全体の重心と、を検出し、各重心の位置関係から、人物Ｐの姿勢を判定する。一例としては、物体の最頂部の重心と、物体全体の重心と、の平面方向における距離から、人物Ｐの姿勢を判定する。
【００４４】
具体的には、まず、一般的な人物の座位の姿勢における、最頂部の重心と、物体全体の重心と、の平面方向における距離を基準値として設定する。座位の場合、最頂部の重心と物体全体の重心とは、平面方向において少しずれた位置関係、つまり、所定の距離だけ離れた位置関係となり、基準値としては、所定の距離が設定される。そして、最頂部の重心と物体全体の重心とが平面方向において一致した場合には、立位の姿勢であると判定する。また、最頂部の重心と物体全体の重心との平面方向における距離が、上記基準値よりも小さい場合には、うずくまりの姿勢であると判定する。また、最頂部の重心と物体全体の重心との平面方向における距離が、上記基準値よりも大きい場合には、横たわりの姿勢であると判定する。また、最頂部の重心と物体全体の重心との平面方向における距離が、上記基準値と一致する場合には、座位の姿勢であると判定する。なお、判定する姿勢は、上述した姿勢に限定されない。
【００４５】
ここで、上述した姿勢の判定に用いる物体の最頂部の重心は、人物の頭部と推定することができ、また、物体全体の重心は、人物の胴体部と推定することができる。従って、このような方法であっても、距離画像から人物の頭部と胴体部とを検出して、人物の姿勢を判定することができる。
【００４６】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００４７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４８】
１０  監視サーバ
１１  距離画像取得部
１２  領域特定部
１３  人物検出部
１４  判定部
１５  通知部
１６  判定基準記憶部
２０  携帯端末
２１  距離画像
３０  監視端末
Ｂ  ベッド
Ｃ  距離画像カメラ
Ｐ  人物
Ｐ１  頭部
Ｐ２  胴体部
Ｕ  ユーザ
【図１】
2019144997.tif 000003
【図２】
2019144997.tif 000004
【図３】
2019144997.tif 000005
【図４】
2019144997.tif 000006
【図５】
2019144997.tif 000007
【図６】
2019144997.tif 000008